(57)【要約】      （修正有）【課題】口から「フッ」と瞬間的に吹き出す腹式呼吸法を習得させるための腹式呼吸補助装置を提供する。【解決手段】角笛状の装置本体２の出口側に閉塞板４を、上面に回転円盤機構５を取り付ける。閉塞板４には吹き出る空気の流出口を可変する開閉扉７を取り付ける。回転円盤機構５は水平板に回転円盤を取り付けたもので、水平板に矩形切り込み口を形成して回転円盤を水平板の上方に半円部分を突出させた状態で回転させる。回転円盤の略１／２に当たる略半円部分は打ち抜いて空洞にする。半円状空洞を囲む外周部中央の外側と、回転軸を挟んでその対称位置の半円部外側に球体を突出して取り付ける。回転円盤は空洞部が水平板の下側に位置するように取り付ける。回転円盤が左右に回転して球体が水平板に当接する２個所には当接した球体により開口が閉塞される貫通孔を設ける。【選択図】図１
0003187175.tif 000002
【実用新案登録請求の範囲】
【請求項１】
腹式呼吸法を習得させるための腹式呼吸補助装置であって、
該補助装置は装置本体と、その入り口に取り付けた吹き込み口部品と、装置本体の空気出口側を塞ぐ閉塞板と、装置本体上面に設けた開口を塞ぐ回転円盤機構を備えて構成され、
前記装置本体は内部が空洞で前方に向けて拡径する角笛状に形成され、
前記吹き込み口部品は角笛の吹き込み口に着脱可能に取り付けられ、
前記閉塞板には空気流出口を設けて該流出口の大きさを可変する開閉扉が取り付けられており、
前記回転円盤機構は水平板と、該水平板に取り付けた回転円盤からなり、水平板には前記回転円盤が半円部分を水平板から上方に突出させた状態で中心両側面に突出形成した回転軸周りに回転できるようにした矩形の切り込み口が設けられ、円盤平面の略１／２に当たる半円部分は前記回転軸の取り付け部分と外縁部を除く部分を打ち抜いて空洞にされており、該半円状空洞を囲む外縁部中央の外側と回転軸を挟んでその対称位置に当たる空洞が形成されていない半円部の外側には球体が突出して取り付けられ、前記回転軸が前記切り込み口の長手方向中央部の両側に設けた軸受に支持されて前記空洞部を水平板の下側にして回転可能にされており、円盤が左右に回転して前記球体が前記水平板に当接する２個所には、当接した球体により開口が閉塞される貫通孔が水平板を上下に貫いて形成されていることを特徴とする腹式呼吸補助装置。
【請求項２】
請求項１に記載の腹式呼吸補助装置において、前記回転円盤機構は前記装置本体上面に１乃至５個が並列に取り付けてあることを特徴とする腹式呼吸補助装置。
【考案の詳細な説明】
【技術分野】
【０００１】
本考案は、腹式呼吸法を習得させるための腹式呼吸補助装置に関する。
【背景技術】
【０００２】
腹式呼吸とは吸気時には腹部を膨らませ、吐気時には腹部を凹ませる呼吸方法である。腹式呼吸は多くの酸素を身体に取り込めることから健康増進に効果があると言われる。通常、人は胸式呼吸を行なっており、深呼吸を伴う腹式呼吸を行なうのは意識して行なう場合のみである。意識して行なう場合のみであっても、正しい腹式呼吸を行なえば多くの効果が期待できる。しかし、腹式呼吸は腹部を膨らませたり凹ませたりする呼吸法だといっても、正しく、効果のある腹式呼吸を行なうのはそれ程簡単なことではない。
【０００３】
腹式呼吸法にはいくつもの方法がある。例えば、ヨガにはパストリカ（ふいご式呼吸）と呼ばれる方法、カパラバディと呼ばれる呼吸法がある。パストリカは吸う時も吐く時も横隔膜を激しく動かす呼吸法である。これに対してカパラバディは、吸う時は腹を緩めることで鼻から空気をゆっくり吸い込み、吐く時は急に腹を締めて鼻から息を「シュッ」と音をだして吐き出す方法である。従来、こうした腹式呼吸法に習熟したり、腹式呼吸を補助したりする器具や装置が各種提案されている（例えば、特許文献１〜３参照）。しかし、これらの器具、装置は、どちらかというと吸う時も吐く時も横隔膜をゆっくりと動かす腹式呼吸法を行なうことを目的としたもので、上記のカパラバディに似た腹式呼吸を対象としたものではない。
【先行技術文献】
【特許文献】
【０００４】
【特許文献１】特開２００２−２１９１７４号公報
【特許文献２】特開２００１−４９８号公報
【特許文献３】特開２００７−１８１５０９号公報
【考案の開示】
【考案が解決しようとする課題】
【０００５】
本考案はこうした背景からなされたもので、その課題は吸う時はヨガのカパラバディと同じく腹を緩めることで鼻から空気をゆっくり吸い込むが、吐く時はカパラバディのように鼻から息を「シュッ」と吹き出すのではなく、口から「フッ」と瞬間的に吹き出す腹式呼吸法を習得させるための腹式呼吸補助装置を提供することにある。
【課題を解決するための手段】
【０００６】
前記課題を解決するための請求項１に記載の考案は、腹式呼吸法を習得させるための腹式呼吸補助装置であって、該補助装置は装置本体と、その入り口に取り付けた吹き込み口部品と、装置本体の空気出口側を塞ぐ閉塞板と、装置本体上面に設けた開口を塞ぐ回転円盤機構を備えて構成され、装置本体は内部が空洞で前方に向けて拡径する角笛状に形成され、吹き込み口部品は角笛の吹き込み口に着脱可能に取り付けられ、閉塞板には空気流出口を設けて該流出口の大きさを可変する開閉扉が取り付けられており、回転円盤機構は水平板と、該水平板に取り付けた回転円盤からなり、水平板には回転円盤が半円部分を水平板から上方に突出させた状態で中心両側面に突出形成した回転軸周りに回転できるようにした矩形の切り込み口が設けられ、円盤平面の略１／２に当たる半円部分は回転軸の取り付け部分と外縁部を除く部分を打ち抜いて空洞にされており、該半円状空洞を囲む外縁部中央の外側と回転軸を挟んでその対称位置に当たる空洞が形成されていない半円部の外側には球体が突出して取り付けられ、回転軸が切り込み口の長手方向中央部の両側に設けた軸受に支持されて空洞部を水平板の下側にして回転可能にされており、円盤が左右に回転して球体が水平板に当接する２個所には、当接した球体により開口が閉塞される貫通孔が水平板を上下に貫いて形成されていることを特徴とする腹式呼吸補助装置である。
【０００７】
このような構成によれば、装置本体内に一定以上の勢いをつけて「フッ」と空気が吹き込まれた場合のみ回転円盤は約１８０°回転して反対側の安定状態に移行する。従って、回転円盤が約１８０°回転したか否かで吹き込み方が満足すべきものであったか否かを判断できる。更に、腹式呼吸の場合は一定のリズムをつけて「フッ」、「フッ」と繰り返し吐き出すことも重要であるが、本腹式呼吸補助装置を使用する場合は適切な吹き方をする度に回転円盤が右回転、左回転するためリズムをとり易い利点がある。
【０００８】
また、請求項２に記載の考案は、請求項１に記載の腹式呼吸補助装置において、回転円盤機構は装置本体上面に１乃至５個が並列に取り付けてあることを特徴とする腹式呼吸補助装置である。
【０００９】
このような構成の腹式呼吸補助装置も請求項１に記載の発明と同様の効果を奏する。
【図面の簡単な説明】
【００１０】
【図１】本考案に係る腹式呼吸補助装置１の外観図である。
【図２】吹き込み口部品３の外観図である。
【図３】回転円盤機構５の外観図である。
【図４】回転円盤１１の外観図である。
【図５】回転円盤機構５の縦断面図である。
【図６】回転円盤１１が左方向に回転中の縦断面図である。
【図７】球体１５ａが貫通孔１８ａの上側開口を塞いだ状態の縦断面図である。
【図８】球体１５ａが吹き上げられる直前の縦断面図である。
【図９】球体１５ａが吹き上げられて回転円盤１１が右方向に回転開始した縦断面図である。
【図１０】球体１５ａが右回転して貫通孔１８ｂの上側開口を塞いだ状態の縦断面図である。
【考案を実施するための形態】
【００１１】
以下、本考案に係る腹式呼吸補助装置の一実施形態について図面を参照して説明する。図１は本考案に係る腹式呼吸補助装置１の外観図である。腹式呼吸補助装置１は装置本体２と、吹き込み口部品３と、開閉扉付き閉塞板４と、回転円盤機構５を備えて構成される。装置本体２は合成樹脂を用い、内部が空洞で前方に向けて拡径する角笛状に形成された部品である。
【００１２】
息の吹き込み口には図２に示すような鍔の付いた円筒状の吹き込み口部品３が着脱可能に取り付けてある。着脱式であるので必要に応じて口径の異なる吹き込み口部品３と交換できる。吹き込み口の反対側に当たる装置本体２の拡径された端部である出口部には閉塞板４が取り付けてある。閉塞板４には上下方向にスライドする開閉扉７が取り付けてあり、この開閉扉７をスライドさせることにより閉塞板４に設けた細長の空気流出口８の大きさを可変できる。吹き込み口部品３から吹き込まれた空気は装置本体２内の空洞を通り、空気流出口８から流出する。開閉扉７は、そのガイドとの間の摩擦により任意の位置で停止できるように構成されている。
【００１３】
装置本体２の上面には開口を設けた水平部が形成され、その開口を塞ぐように回転円盤機構５が取り付けてある。回転円盤機構５は１乃至５個取り付けられる。回転円盤機構５は図３に示すように、水平板１０と回転円盤１１とからなる。水平板１０は矩形の板で、装置本体２の上面水平部の開口を塞ぐように取り付けられる。回転円盤１１は図４に示すような平面形状をした円形板状の円盤である。円盤中心には両側に突出する短い回転軸１２が設けられている。円盤平面の略１／２に当たる半円部分は、回転軸１２の取り付け部分と外縁部を除く部分を打ち抜いて空洞１３にされている。その半円状空洞１３を囲む外縁部中央の外側と、回転軸１２を挟んでその対称位置に当たる空洞が形成されていない半円部の外側には、同じ大きさの二つの球体１５ａ、１５ｂが突出して取り付けてある。球体１５ａ、１５ｂの直径は、回転円盤１１の厚みより僅かに小さくしてある。
【００１４】
水平板１０には矩形の切り込み口が設けられており、回転円盤１１はその切り込み口内でその半円部分を水平板１０から上方に突出させ、回転軸１２を水平にして回転できるように取り付けてある。切り込み口の長手方向中央部の両側にはその回転軸１２を支持する軸受１７が取り付けてある。回転円盤１１は、空洞１３を設けた半円部が水平板１０の下側、空洞が設けられていない半円部が水平板１０の上側に位置する姿勢で回転するように取り付けてある。回転円盤１１が左右に回転すると、その外縁部に取り付けられた球体１５ａ、１５ｂが水平板１０の表面、裏面の各２個所に当接する。その当接する２個所には、当接した球体１５ａ、１５ｂにより開口が閉塞される貫通孔１８ａ、１８ｂが水平板１０を上下に貫いて形成されている。回転円盤１１が左方向に回転していくと、水平板１０の上側に位置する球体１５ａが左側に位置する貫通孔１８ａの上面側開口を塞ぐ。同時に水平板１０の下側に位置する球体１５ｂが右側に位置する貫通孔１８ｂの下面側開口を塞ぐ。回転円盤１１が右方向に回転した場合は、反対に貫通孔１８ｂの上面側開口、貫通孔１８ａの下面側開口が塞がれる。
【００１５】
次に、このように構成された腹式呼吸補助装置１の使用法について説明する。吹き込み口には使用者の身体の大きさや肺活量を考慮した口径を有する吹き込み口部品３を取り付ける。使用者は、吹き込み口部品３をくわえ、お腹を自然に緩めながら鼻から空気を吸い込む。次に、お腹を急にしぼませ、吸い込んだ空気を吹き込み口から装置本体２内に「フッ」と吹き込む。吹き込まれた空気の出口は、スライドする開閉扉７により大きさが調節される空気流出口８と、回転円盤機構５の水平板１０に設けられた貫通孔１８ａ、１８ｂの３個所にある。（回転円盤機構５が複数取り付けられている場合は貫通孔１８ａ、１８ｂの数は比例して増える。）
【００１６】
空気流出口８と貫通孔１８ａ、１８ｂの孔の大きさが小さい場合は、吹き出る空気に対する空気抵抗が増して装置本体２内の圧力が高まる。空気を「フッ」と吹き込む場合にはその抵抗が増すため少し力を込めて急にお腹をしぼませる必要がある。空気の吹き込みに対する抵抗は、空気流出口８と回転円盤機構５の水平板１０に設けられた貫通孔１８ａ、１８ｂの大きさで決まる。このうち、空気流出口８の大きさ、即ち、吹き出る空気に対する空気流出口８の空気抵抗はスライド式の開閉扉７の停止位置で決まる。
【００１７】
これに対して貫通孔１８ａ、１８ｂから吹き出る空気に対する空気抵抗は複雑に変化する。図５は回転円盤機構５を回転円盤１１の厚みの中央を通る円盤面に平行な垂直面で切った縦断面図である。回転円盤１１は空洞１３が設けられた側を水平板１０の下側に、設けられていない側を上側にして取り付けられている。この場合、上側部分の方が重量が大きいため図５に示した姿勢では不安定で、僅かな力が回転円盤１１に働いただけで回転円盤１１は右方向、又は左方向に回転を始める。例えば、図６に示すように左方向に回転を開始すると加速度がついて回転を継続し、ついには図７に示すように回転円盤１１の外周上側に取り付けた球体１５ａが水平板１０に設けた貫通孔１８ａの上側開口を塞いだ状態で停止する。このとき回転円盤１１の外周下側に取り付けた球体１５ｂは貫通孔１８ｂの下側開口を塞いだ状態となる。回転円盤１１が右方向に回転した場合は図７の左右を反対にした状態で停止する。即ち、回転円盤１１が安定するのは、回転円盤１１の外周上側に取り付けた球体１５ａが貫通孔１８ａの上側開口を塞いで停止した状態（この状態を左安定状態と呼ぶことにする。）、又は、反対側の貫通孔１８ｂの上側開口を塞いで停止した状態（この状態を右安定状態と呼ぶことにする。）の何れかである。
【００１８】
回転円盤１１が図７に示す左安定状態にあるときに吹き込み口から「フッ」と空気を吹き込むと、装置本体２内の圧力が一瞬高まり、内部の空気は貫通孔１８ａ、１８ｂからも流出しようとする。この場合、貫通孔１８ｂは下側の開口が球体１５ｂにより塞がれているため貫通孔１８ｂからは流出しない。これに対して貫通孔１８ａ側では、内部の空気は貫通孔１８ａの塞がっていない下側の開口から貫通孔１８ａ内に入り、上側の開口を塞いでいる球体１５ａを吹き上げる。
【００１９】
「フッ」と吹かれた空気の勢いが強いと球体１５ａは強く吹き上げられ、図９に示すように回転円盤１１を右方向に回転させる。球体１５ａが吹き上げられる力が強いと回転円盤１１は回転し、球体１５ａが回転軸１２の真上を通過して右側位置になる。すると、回転軸１２は上側部分が空洞１３のある下側部分よりも重いため、回転円盤１１を右側に回転させようにする回転モーメントが発生する。このため回転円盤１１は加速度的に右方向に回転する。そして、ついには図１０に示すように上側の球体１５ａが貫通孔１８ｂの上側開口を塞ぎ、下側の球体１５ｂが貫通孔１８ａの下側開口を塞いだ右安定状態で停止する。
【００２０】
このように球体１５ａが回転軸１２の真上を通過する位の強い力で下から吹き上げられると、回転円盤１１は約１８０°回転して左安定状態から右安定状態に移行する。球体１５ａが右側の貫通孔１８ｂの上側開口１８ｂを塞いでいるときに吹き上げられた場合は、左回転して右安定状態から左安定状態に移行する。このように安定状態を反転させるには、空気流出口８の大きさにより決まる一定の勢いを付けて「フッ」と空気を吹き込む必要がある。「フッ」と吹き込む勢いが弱いと回転円盤１１は反対側の安定状態に移行せず、吹く前の元の安定状態に戻ってしまう。
【００２１】
このように本実施形態の腹式呼吸補助装置１では、一定以上の勢いをつけて「フッ」と空気を吹き込んだ場合のみ回転円盤１１が約１８０°回転して反対側の安定状態に移行する。従って、回転円盤１１が約１８０°回転したか否かで吹き込み方が満足すべきものであったか否かを判断できる。空気を吸い込むときは「背景技術」で触れたヨガのカパラバディと同じように、腹を緩めて鼻からゆっくり吸い込む。空気を吐く時は口から空気を「フッ」と装置本体２内に吹き込む。カパラバディと異なるのは、カパラバディでは鼻から「シュッ」と吐き出すのに対して、本腹式呼吸補助装置１を使用する場合は口から吐き出す点である。
【００２２】
空気の吐き出し口がカパラバディと本腹式呼吸補助装置１を使用する方法では異なるが、共に吐き出す際にはお腹を急にしぼめさせ、横隔膜を上方に急移動させる点では共通する。このように、本腹式呼吸補助装置１はカパラバディに似た腹式呼吸を補助する装置である。本腹式呼吸補助装置１では、一定の勢いをつけて「フッ」と空気を吐き出さないと回転円盤１１の安定状態が反転しないので、反転したか否かで吹き込み方が満足すべきものであったか否かを判断できる。更に、腹式呼吸の場合は一定のリズムをつけて「フッ」、「フッ」と吐き出すことも重要である。本腹式呼吸補助装置１を使用する場合は、適切な吹き方をする度に回転円盤１１が右回転、左回転するためリズムをとり易い利点がある。
【符号の説明】
【００２３】
図面中、１は腹式呼吸補助装置、２は装置本体、３は吹き込み口部品、４は閉塞板、５は回転円盤機構、７は開閉扉、８は空気流出口、１０は水平板、１１は回転円盤、１２は回転軸、１３は空洞、１５ａ、１５ｂは球体、１７は軸受、１８ａ、１８ｂは貫通孔を示す。
【図１】
0003187175.tif 000003
【図２】
0003187175.tif 000004
【図３】
0003187175.tif 000005
【図４】
0003187175.tif 000006
【図５】
0003187175.tif 000007
【図６】
0003187175.tif 000008
【図７】
0003187175.tif 000009
【図８】
0003187175.tif 000010
【図９】
0003187175.tif 000011
【図１０】
0003187175.tif 000012